(57)【特許請求の範囲】
【請求項１】
給水口に接続すべき、毛髪を処理するためのシステム（１）であって、
−  美容用の製品（Ｐ１、Ｐ２）の少なくとも１つの供給源と、
−  場合によっては製品が投入された水を前記毛髪に送るための水ディスペンシングデバイス（１１）と、
−  製品の前記少なくとも１つの供給源から得られた前記製品を前記水に注入し、前記ディスペンシングデバイスによって前記毛髪に送られる前記水におけるこの供給源から得られた製品の含有量および／または前記ディスペンシングデバイス（１１）によって前記毛髪に送られる製品の量を少なくとも最小値、最大値、および最小値と最大値の間の中間値の間で変化させるのを可能にする調整デバイス（３０）と、
−  前記ディスペンシングデバイス（１１）の前記給水口における前記水の圧力を前記システムの前記給水口における前記水の圧力よりも高くするための増圧器（５０）と、
を備え、
前記システムは、カタログ製品の調合物に関する情報を与えるデータベースにアクセスし、少なくとも１つの選択された設定、および観測された処理結果に関してユーザによって入力される情報の少なくとも１つの項目についての知識に少なくとも応じて、１つまたは複数のカタログ製品を特定するシステム。
【請求項２】
前記ディスペンシングデバイス（１１）は、前記ディスペンシングデバイスから出た互いに収束する２つの噴流を衝突させるように構成されたノズルを備える、請求項１に記載のシステム。
【請求項３】
前記製品（Ｐ１、Ｐ２）は、前記水における製品の前記含有量が、０．３重量パーセントから２０重量パーセントの間になるように前記水に注入される、請求項１または２に記載のシステム。
【請求項４】
毛髪を処理する間、製品の前記含有量を規定のプログラムに従って自動的に変化させるように構成される、請求項１から３のいずれか一項に記載のシステム。
【請求項５】
それぞれに異なる製品の少なくとも２つの供給源を備え、前記調整デバイス（３０）が、前記ディスペンシングデバイス（１１）によって分配される前記水における各製品の比率を選択的に変化させるのを可能にする、請求項１から４のいずれか一項に記載のシステム。
【請求項６】
毛髪を処理する間、既定のプログラムに従って前記各製品の前記含有量を自動的に変化させるように構成された、請求項５に記載のシステム。
【請求項７】
設定をメモリに記憶するのを可能にするように構成された、請求項１から６のいずれか一項に記載のシステム。
【請求項８】
所望の濃度を得るためにユーザによって選択された流量の関数として前記水に注入される製品の前記量を調整するように構成される、請求項１から７のいずれか一項に記載のシステム。
【請求項９】
ユーザによって前記システムに入力される情報の少なくとも１つの項目の関数として製品の濃度の事前調整を自動的に実行するように構成される、請求項１から８のいずれか一項に記載のシステム。
【請求項１０】
前記毛髪の乾燥および／またはスタイリングの後に得られる結果に対するデータの入力を可能にし、前記毛髪の次回の処理における設定の任意の修正を前記データの関数として自動的に提案するように構成される、請求項１から９のいずれか一項に記載のシステム。
【請求項１１】
前記毛髪は、シンク（１０）において処理され、前記システムは、前記シンクの排水口の開閉を制御するように構成される、請求項１から１０のいずれか一項に記載のシステム。
【請求項１２】
前記毛髪は、シンク（１０）において処理され、前記システムは、前記処理の要件またはすすぎ要件に応じて前記シンクの排水口を開閉するように構成される、請求項１から１１のいずれか一項に記載のシステム。
【請求項１３】
毛髪を処理する間、既定のプログラムに従って、前記ディスペンシングデバイス（１１）によって前記毛髪に送られる製品の含有量および／または製品の量を少なくとも最小値、最大値、および最小値と最大値の間の中間値の間で自動的に変化させるように構成される、請求項１から１２のいずれか一項に記載のシステム。
【請求項１４】
前記製品の前記水への前記注入は、前記ディスペンシングデバイスの上流側で行われる、請求項１から１３のいずれか一項に記載のシステム。
【請求項１５】
請求項１から１４のいずれか一項に記載のシステムによる、前記毛髪の前記処理のためのプロセスであって、少なくとも１つの製品の含有量が、前記毛髪に送られる前記水において変化させられるプロセス。
【請求項１６】
前記毛髪の一部が、所与の設定によって処理され、次いで、前記設定が、前記毛髪の別の部分を処理するように修正される、請求項１５に記載のプロセス。
【請求項１７】
適正であると見なされる結果に対応する設定がメモリに記憶される、請求項１５または１６に記載のプロセス。
【請求項１８】
前記システムは、毛髪を処理する間、前記毛髪に送られる前記水における製品の量を自動的に変化させ、結果が、ユーザによって適正であると見なされる場合に、前記ユーザによって入力された情報の項目をメモリに記憶する、請求項１５から１７のいずれか一項に記載のプロセス。
【請求項１９】
処理シンクの排水口の開閉は、行われる作業の性質に応じて制御される、請求項１５から１８のいずれか一項に記載のプロセス。
【請求項２０】
毛髪のそれぞれに異なる部分に対して処理のそれぞれに異なるシーケンスが試験される、請求項１５から１９のいずれか一項に記載のプロセス。
【請求項２１】
少なくとも２つのシーケンスは、１回のすすぎ持続時間が異なる、請求項２０に記載のプロセス。
【請求項２２】
少なくとも２つのシーケンスは、プレシャンプー作業、コンディショニング作業、またはすすぎ作業の有無によって異なる、請求項２０または２１に記載のプロセス。
【発明の詳細な説明】
【技術分野】
【０００１】
本発明は、毛髪の処理の分野に関し、より詳細には、限定はしないが、美容室において行われるシャンプー洗髪の毛髪の処理に関する。
【背景技術】
【０００２】
序論
毛髪の特徴は人ごとに異なる。したがって、毛髪の特定の特徴に適合すべき製品が必要である。
【０００３】
美容室では、一般にヘアカット、ヘアスタイリング、パーマウェーブの前または染髪作業およびブリーチ作業の後に、シャンプー洗髪を行う必要がある。
【０００４】
この作業を担当する人は、以下ではシャンプー担当者と呼ばれ、顧客を洗髪するにあたって製品の使用の最適化に努める。したがって、シャンプー担当者は、正しい製品を正しい洗髪レベルで、しかも正しい処理レベルで使用することを望む。
【０００５】
第１の態様では、シャンプー担当者は、毛髪が多い場合には多量の製品（たとえば、１０ｇよりも多く）を使用し、ショートヘアには少量の製品を使用することによって、使用すべき製品の量を調整する。シャンプー担当者はまた、場合によっては、たとえばより多くの製品を注液するか、または頭皮が特に脂っぽい場合には連続して注液することによって、毛髪の汚れの程度に応じて量を調整する。したがって、シャンプー担当者は、頭皮および毛髪をきれいにするためにできるだけ多くの皮脂の除去を試みる。逆に、顧客の頭皮が脂っぽくなく、ならびに／または顧客が頻繁に洗髪する場合には、シャンプー担当者は注液する量を減らすことがある。
【０００６】
これらの作業では、シャンプー担当者は、製品の量を調整するが、使用される調合物についてはほとんど調整しない。この理由は、単に状況の視覚的な評価に基づいてどれが使用すべき最良の製品であるかを知るのは困難であるからである。したがって、シャンプー担当者は、同じ「ノーマル」製品を使用し、注液される量を調整することによって効果を変化させる傾向がある。
【０００７】
このようにして、シャンプー担当者は、洗髪の問題を解決するが、場合によっては製品を再注液する必要があるか、または注液されるシャンプーの量が多すぎる場合にはすすぎに多くの時間を費やす必要があり、時間をとられる。さらに、界面活性剤は、使用量が多すぎると、ヒリヒリすることがあることがわかっている。したがって、シャンプー担当者は、望んでいないにもかかわらず顧客を不快にさせることがある。
【０００８】
製品を毛髪の質に適合させる問題もある。毛髪が痛んでいる場合、カチオン性ポリマーまたは炭素ベースのオイルおよび／もしくはシリコーンオイルなどのケア活性薬剤に溶かした高濃度の製品を使用することが好ましい。もつれを取るのが困難な毛髪には、カチオン性ポリマーおよび炭素ベースのオイルを多く含有するシャンプーが必要である。ゴワゴワした毛髪またはツヤのない（かつて乾燥していた）毛髪にはシリコーンを多く含有するシャンプーが必要である。特に毛髪が混合状態である（いくつかの感作レベルを含む）とき、シャンプー担当者が、自分の評価に基づいてどれが最良の製品であるかを知るのは困難である。上述のように、シャンプー担当者は、標準的な製品を選択する傾向があるが、処理効果の調整を誤る場合があることを認識している。その場合、シャンプー担当者は、第２の製品を注液してこれを修正することがあるが、この作業にも時間がかかる。
【０００９】
理論上は、シャンプー担当者は、より多いかまたはより少ない用量の界面活性剤、カチオン性ポリマー、および炭素ベースのオイルまたはシリコーンベースのオイルを含む一連の様々な製品を有する必要がある。しかし、組合せの数は、このことがあまり実際的ではないことを意味する。さらに、シャンプー担当者は、いくつかの試験を実施し、顧客ごとに最も適切な試験を維持しなければならない。
【００１０】
コンディショナにも問題が存在する。一般に、ロングヘアまたは傷んだ毛髪にもつれ取りの問題があるときにはコンディショナが使用される。しかし、この問題は、毛髪の質および量に依存し、しかも使用されるシャンプーにも依存する。カチオン性ポリマーをそれほど含有しないかまたはまったく含有しないという点で非常に基本的なシャンプーでは、シャンプーをすすいだ後に髪がゴワゴワになる。この問題は、シャンプーがカチオン性ポリマーを含有する場合に軽減される。したがって、シャンプー担当者は、顧客およびシャンプー担当者が使用するシャンプーに適したコンディショナを見つけなければならない。このようにして、十分に適していないコンディショナ調合物を使用することに関するエラーが生じた場合には、シャンプー担当者が顧客に迷惑をかけることがある。シャンプー担当者は、作用の不十分なコンディショナを使用した場合、最初にコンディショナを使用した後にもう一度コンディショナの注液を行わなければならない。シャンプー担当者は、過度の作用を有するコンディショナを使用した場合、顧客の毛髪が重くなり、垂れ下がって見える恐れがある。
【００１１】
頭髪によっては、特定のシャンプー、およびコンディショナまたはプレシャンプーなどの少なくとも１つの第２の特定の処理を伴う特定の注液手順が必要であることもわかっている。問題は、まず製品の最良の順番を見つけ、次いで顧客が再来店したときにこの順番を再び使用するためにそれを覚えなければならないことである。これを覚えることが可能な場合、製品を再び見つけて手順に従う必要がある。これには時間がかかり、このため、美容室によっては、このような最適な一連の製品を追求しないことが好ましい。
【００１２】
また、そのようなことが起きたとき、慣習として、２つの製品を注液する間、たとえば、シャンプーとコンディショナの間にすすぎを行う。必要なすすぎ時間は実際にはわからない。したがって、何度もすすぎが行われることが多いが、モデルによっては、このすすぎが実際には必要ではなく、または場合によっては有効でもない。
【００１３】
したがって、シャンプー担当者が洗髪段階の間およびケア段階の間に使用すべき製品、組成、および量の選択の際には問題がある。特に、シャンプー担当者が、使用した製品が十分に適していないことがわかったときに修正に時間をとられることなく、毛髪の処理の作用が不十分であるか、それとも過度であるかにかかわらず、シャンプーが過度に多量の界面活性剤を含有することに起因して顧客の頭皮をヒリヒリさせ、さらにもつれ取りを困難にして、ゴワゴワした外観、パサパサした外観、または垂れ下がった外観を与える恐れもなく、処理を迅速に行うのを可能にする解決策が求められる。
【００１４】
石鹸などの化粧品をシャワーヘッドの給水に導入するのを可能にするデバイスが特許文献１から知られている。調整手段によって、水と混合すべき、ベンチュリ効果によって吸引される製品の量を変化させるのが可能になる。
【００１５】
特許文献２は、水をディスペンシングデバイスに送る前に水圧を上昇させるための増圧器を備えるデバイスを開示している。一実施形態例では、増圧器の下流側およびディスペンシングデバイスの上流側で水と混合される石鹸を送るための石鹸（または別の製品）の供給源が提供される。水に混ぜる石鹸の量の調整としては、オールオアナッシングの調整、すなわち、分配される水に石鹸が存在するかしないかの調整以外には行われない。一変形態では、石鹸の供給源がディスペンシングデバイスによって保持される。
【００１６】
特許文献３は、家族の様々なメンバーについてそれぞれに異なる温度、水位、および流量を記録するのを可能にする自動化浴室について説明している。ユーザに水を供給する蛇口の上流側で分配された石鹸が水に導入されてもよい。
【先行技術文献】
【特許文献】
【００１７】
【特許文献１】米国特許出願第２００６／００１１７４６  Ａ１号
【特許文献２】米国特許出願第２００８／０３０１８６９  Ａ１号
【特許文献３】米国特許第４５６３７８０号
【特許文献４】ＷＯ２００７／０６２５３６  Ａ２
【発明の概要】
【課題を解決するための手段】
【００１８】
したがって、この状況を改善する必要があり、本発明の目的は、給水口に接続すべき、毛髪を処理するためのシステムであって、
−  製品の少なくとも１つの供給源と、
−  場合によっては製品が投入された水を毛髪に送るための水ディスペンシングデバイスと、
−  製品の上記少なくとも１つの供給源から得られた製品を水に投入し、ディスペンシングデバイスによって毛髪に送られた水におけるこの供給源から得られた製品の含有量および／またはディスペンシングデバイスによって毛髪に送られる製品の量を変化させるのを可能にする調整デバイスとを備えるシステムによって状況の改善に対処することである。
【００１９】
好ましくは、この調整では、最小含有量値および／または最小量値と最大含有量値および／または最大量値との間の少なくとも１つの中間値を仮定することがある。言い換えれば、調整はオールオアナッシングではない。
【００２０】
好ましくは、システムはまた、ディスペンシングデバイスの給水口における水の圧力をシステムの給水口における水の圧力よりも高くするための増圧器を備える。
【００２１】
上流側に存在する増圧器によって高圧水源の供給を受けるディスペンシングデバイスは、衝突してその速度が低下し、この運動エネルギーを伝達して液滴のサイズを小さくする噴流、好ましくは収束噴流を生成する少なくとも２つのノズルを備えてもよく、これによって、水消費量を抑えつつ濡らしやすい噴流を得ることが可能になり、水消費量を抑えることは、これによって毛髪を処理するために使用される製品の調整が容易になるので特に有利である。
【００２２】
水道本管に接続されていないか、または散在した水道本管に接続された美容室の場合も水消費量を抑えることは特に有利である。
【００２３】
染料化合物、もつれ取り化合物、またはツヤ向上化合物などの有効化合物を堆積したトリートメントによって事前に毛髪を処理しておいたときに毛髪に対する水の効果を低下させるためにも水消費量を抑えることは特に有利である。これらの化合物は、水の影響を受けることが多く、水の弱い流れを使用すると、これらの化合物の除去が制限されることがある。
【００２４】
本発明によって、水における製品の含有量をリアルタイムに変更して、シャンプー担当者が、過度に多量の製品を注液して、処理すべき人に迷惑をかけることなく、処理すべき人の毛髪に最適な洗浄および／または処理を判定するのを容易にすることが可能になる。ユーザは、毛髪を処理し、特に洗浄する人の毛髪に適した処理をより容易に判定することがある。
【００２５】
システムは、上記ユーザが、
設定を選択することであって、システムが選択された設定の関数として調整デバイスに作用するように構成される、選択すること、および／または
選択された設定によって得られる処理結果に関する情報の少なくとも１つの項目を入力することを行うのを可能にするユーザインターフェースを備えてもよい。
【００２６】
システムは、製品の使用特性を変化させるのを可能にしてもよい。「使用特性」は、製品がその作用を施すのを可能にする製品の少なくとも１つの使用条件を意味すると理解されたい。これはたとえば、システムによって毛髪に分配される処理溶液内の製品の濃度、使用される製品の量、一緒に使用される別の製品に対する製品の含有量、および／または特にこの製品が別の製品の前もしくは後に使用されるかまたはすすぎを行うかもしくは行わずに使用される場合のこの製品の使用シーケンスであってもよい。
【００２７】
「処理結果」は、製品の使用に少なくとも部分的に関連する結果を意味すると理解されたい。これは、洗髪の度合、泡立ち能力、泡立ちの速さ、またはもつれ取り能力、スムージング能力、コンディショニング能力、またはケア能力などであってもよい。
【００２８】
本発明は、シャンプー担当者がその顧客に最適な製品を捜すのを可能にする。
【００２９】
本発明は、ユーザが、調整試験を行い、結果に満足した後、使用された製品およびこれらの製品の使用条件、特に量、濃度、ならびに／あるいは使用状況、たとえば、すすぎを行ったかそれとも行わなかったか、またはプレシャンプーもしくはコンディショナを使用したかどうかを記録するのを可能にする。
【００３０】
その場合、記録される情報は、結果を再現するかもしくはその結果に近付け、および／またはその美容室への再来店時に処理を再現するのを可能にするカタログ製品を判定するために使用されてもよい。
【００３１】
これらの情報は、結果の変化を処理の関数として少しずつ示すことによって、処理を最適な結果に近くなるように向上させることを可能にする。したがって、システムは、一方では、すでに観測されている結果および対応する処理条件に関する記録データの関数として、他方では顧客および／またはユーザによって表されシステムに入力される要求として、新しい設定を提案するように配置構成されてもよい。
【００３２】
システムは、ユーザが処理すべき毛髪に関する情報、たとえば、長さ、硬さ、色、染色、リラクシングまたはパーマネント−ウェーブ履歴、スタイリング習慣、加熱システムの定期的な使用、毛髪の状態などを入力するのを可能にし、これらの指示を設定に関する提案において考慮するように配置構成されてもよい。システムはさらに、美容室への前回の来店からの毛髪の変化を考慮するために、入力された情報を使用して所与の顧客用にメモリに記憶された設定を修正してもよく、たとえば、システムは、毛髪に送られる水および／または製品の量を、美容室への前回の来店からの毛髪の長さの変化の関数として修正するように配置構成される。たとえば、前回の洗髪作業後にヘアカットを行ったために毛髪が短くなっている場合、システムは、使用される水および製品の量を減らしてもよい。システムは、シャンプー担当者が毛髪の長さ、たとえば、毛髪のｃｍ単位の長さに関する情報の項目を入力するのを可能にするように配置構成されてもよい。変形態として、システムは、たとえば、シンクに取り付けられた１つまたは複数のセンサーによって毛髪の長さを自動的に測定するように配置構成される。
【００３３】
システムは、少なくとも１つの設定をメモリに記憶するための手段を備えてもよい。これは、電子メモリまたはコンピュータメモリ、たとえば、ＳＳＤドライブタイプのメモリ、またはハードドライブ、もしくは一般に「クラウド」と呼ばれる共有ドライブであってもよい。情報は、システム自体のメモリ内、洗髪シンクの近くに位置する回路基板内、または美容室内もしくはその外部に存在するリモートサーバ上に記憶されてもよい。システムを使用して、メモリに記憶されたデータに基づいて自動的または半自動的に設定を生成するとき、美容室の予約システムへのシステムアクセスを行い、処理された人のＩＤをこの予約システムから知り、ＩＤをシステムに入力することを不要にすると有利であり、システムは、半自動動作では、予約システムにアクセスすることによって判定されたその人のＩＤをユーザインターフェース上に表示して、シャンプー担当者が処理を開始する前にこの情報を確認するのを可能にするように配置構成されてもよく、また、システムが自動的に実施するために準備している処理を再呼出ししてシャンプー担当者が確認を入力するのを可能にすることが好ましい場合もある。
【００３４】
ユーザインターフェースは、それぞれ、処理の結果を評価するための少なくとも２つの異なる基準に関する情報の少なくとも２つの項目をシステムに入力するのを可能にするように配置構成されてもよい。これは、処理自体の間の結果、たとえば、泡立ち能力および泡立ちの速さ、すすぎの後毛髪がまだ濡れている間に得られる結果、たとえば、毛髪の柔らかさおよびもつれを取る能力、または毛髪が乾燥しているときに推定される結果であってもよい。結果は、ユーザによって視覚的に推定され、および／または指で触れることによって推定されてもよく、ユーザは場合によっては、計器ベースの評価を可能にする利用可能な１つまたは複数の付属品または装置を有してもよく、この場合、使用される装置は、システムが対応するデータを分析するのを可能にするようにシステムにリンクされてもよい。この場合、シャンプー担当者による装置の使用は、処理結果に関する情報の項目のシャンプー担当者による入力が自動的に実施される場合でもその入力に等しいと考えられる。
【００３５】
システムは、選択された設定および処理結果に関するユーザによって入力される情報の上記少なくとも１つの項目についての知識に少なくとも基づいて製品推奨情報および／または処理推奨情報を生成するための手段を備えることが好ましい。この手段は、たとえば、それぞれに異なる製品によって毛髪に対して得ることができる結果に関する情報、ならびにこれらの製品と処理中の人に試験される調合物とのリンクに関する情報を含む製品データにアクセスするコンピュータプログラムであってもよい。
【００３６】
システムは、ユーザが得られる結果に関する処理された人の好みを入力するのを可能にするように配置構成されることが好ましい。システムはその場合、その推奨において、満たすべき他の基準と比較して、所望の結果を得るのを可能にする製品を優先してもよい。
【００３７】
システムは、有利なことに、製品の使用条件に関する指示を、システムにすでに入力されているデータの関数として生成し、得られる結果に対する製品の使用条件の影響を予期するのを可能にするように配置構成され、これはたとえば、すすぎに使用される水の量の関数としての製品の処理能力、たとえば、もつれ取り能力の変更についてのシステムの知識である。
【００３８】
システムは、有利には、毛髪に送られる各製品の量だけでなく分配される水の量も調節するように配置構成され、分配される水の量についての知識は、シンクの排水口が閉鎖されている間に毛髪上に水および製品が分配されるときに特に有用である場合がある。その理由は、これによってシンク内に存在する溶液中の各製品の濃度をより容易に判定することが可能になるからである。
【００３９】
ユーザインターフェースは、多数の試験を実施し、最良の処理条件を判定するために、ユーザが多数の処理パラメータを修正するのを可能にするように作製されることが好ましい。
【００４０】
したがって、調整デバイスは、分配される溶液中の製品の比率を連続的にまたは段階的に２５％以下に調節するのを可能にするように配置構成されてもよい。
【００４１】
調整デバイスは好ましくは、水に投入される製品の含有量が、たとえば０．３重量パーセントから２０重量パーセントの間、または場合によっては０．３重量パーセントから１０重量パーセントの間で変化させ得るように配置構成される。
【００４２】
システムは、既定の調合物を試験または使用するために、製品を分配する前にユーザによって選択されたある量の製品および／または所与の濃度を有する製品を分配するように配置構成されてもよい。たとえば、ユーザは、ユーザインターフェース上で製品の濃度を選択し、製品が上記濃度で分配される。
【００４３】
変形態として、システムは、ユーザが、製品の様々な濃度または様々な量で試験を実施するのを可能にするように、特にシンクにおける作業の間またはある予約の顧客から別の予約の顧客へと変わる際に経時的に変更可能な濃度を有する少なくとも１つの製品を分配するように配置構成される。同じ予約の顧客の間のシンクにおける作業中に濃度および／または量が変化すると、ユーザは、これを利用して毛髪のいくつかの異なる部分に分配される溶液を試験し、毛髪のこれらの部分の各々に関する結果に照らして、所望の結果を得るのに最も適した製品の濃度および／または量を判定してもよい。
【００４４】
システムは、「洗髪試験」と呼ばれる少なくとも１つのプログラムを提案するように配置構成されてもよい。
【００４５】
その場合、システムは、そのようなプログラムを実行する間、製品の比率を変化させ、たとえば、比率を高くしてディスペンシングデバイスに送るように配置構成される。このようにして、シャンプー担当者は、製品が毛髪上で正しく泡立ちを生じており、ならびに／または洗髪が正しく行われていることを確認した場合、分配を停止し、ならびに／またはこの試験プログラムの間の最適な点を特定してもよい。システムは、たとえば、積分を実行した後に、送られた製品の総量をメモリに記憶するように配置構成されてもよい。システムは、その後同じ量の製品が異なるプログラミングに従って分配されならびに／または異なる期間の間分配されるいくつかの実装形態を提案するように配置構成されてもよい。たとえば、シャンプー担当者は、製品の比率を０％から開始して定期的に毎秒０．２５％ずつ増加させる増加モードに従って水流への製品の注入を変化させる。シャンプー担当者は、１６秒後に、得られる泡が適正なものになったことを特定した場合、システムを停止してもよい。システムは、積分によって、試験の間に注入された製品の量が１６秒にわたる定期的な供給の２％の量に相当することを算出する。システムは、この情報から開始して、いくつかの実装形態を提案することができる。
・等価実装形態（毎秒０．２５％ずつ増加するモードに従って１６秒で０％から４％まで）、
・定期注入モードなどの別の実装形態（たとえば、１６秒の間２％であり、８秒の間４％である）、
・試験中に使用されるモードとは異なる、増加注入モードまたは減少注入モードなどの別の実装形態。
【００４６】
システムは、自動的にまたはシャンプー担当者の要求に応じて、製品の別の製品に対する比率を変化させ、たとえば、比率を高くするかまたは低くして、ディスペンシングデバイスによって分配することを目的としてシステムの管に送ることからなる「洗髪試験」と呼ばれるプログラムをユーザに提案するように配置構成されてもよい。その場合、シャンプー担当者は、たとえば、製品を送る間に毛髪に触れることによってその比率が最適であるかどうかを検知することができる。このようにして、シャンプー担当者は、製品が毛髪上で正しく泡立ちを生じており、ならびに／または洗髪が正しく行われていることを確認した場合、試験プログラムを停止し、ならびに／または最適な点を特定してもよい。その場合、システムは、たとえば積分を実行した後で、送られた製品の全量を保持し、次いで、上述のように、同じ量の製品が異なるプログラミングに従って分配されならびに／または異なる期間の間分配されるいくつかの実装形態を提案することができる。
【００４７】
システムによってユーザに提案されてもよいプログラム変形態は、自動的にまたはシャンプー担当者の要求に応じて、２つまたは３つ以上の多くの製品を所与の相対比率で管内に送り、一方の製品の他方の製品に対する送られた比率または水におけるこの混合物の比率を増加させることからなる。その場合、シャンプー担当者は、たとえば、製品を送る間に毛髪に触れることによってその比率が最適であるかどうかを検知することができる。このようにして、シャンプー担当者は、製品が毛髪上で正しく泡立ちを生じており、ならびに／または洗髪が正しく行われていることを確認した場合、プログラムを停止し、ならびに／または最適な点を特定してもよい。その場合、システムは、たとえば積分を実行した後で、十分なパラメータ、たとえば、送られた製品の混合物の全量を保持し、次いで、上述のように、同じ量の製品が異なるプログラミングに従って分配されならびに／または異なる期間の間分配されるいくつかの実装形態を提案することができる。たとえば、シャンプー担当者は、水流への２つの製品の注入を変化させ、一方の製品については増加モードに従い、他方の製品については定期モードに従い、第１の製品では、製品の比率を０％から開始して定期的に毎秒０．２５％ずつ増加させ、第２の製品では４％ずつ注入する。シャンプー担当者は、１６秒後に、得られる泡が満足できるものになったことを特定した場合、システムを停止してもよい。システムは、積分によって、試験の間に注入された製品の量が、第１の製品では１６秒にわたる定期的な供給の２％の量に相当し、第２の製品では１６秒にわたる毎秒４％の量に相当することを算出する。システムは、この情報から開始し、２つの製品を異なる実装形態の下で２／４比率で送ることを提案することができる。
・等価形態（第１の製品では、毎秒０．２５％ずつ増加するモードに従って１６秒の間に０％から４％まで増加し、第２の製品では、１６秒の間４％ずつ送られる）、
・たとえば、２つの製品を２／４比率で定期的に注入するモードなどの他の実装形態。
【００４８】
システムは、洗髪後に得られる結果に関する情報を入力するのを可能にする。詳細には、システムは、すすぎパラメータを後で再使用できるようにすすぎパラメータに関する入力された情報を有してもよい。シャンプー担当者は、毛髪から製品を完全に除去したいかそれともある程度製品の痕跡を保持し、それによって効果を得るかに応じて最適なすすぎを見つけてもよい。
【００４９】
したがって、すすぎの間、シャンプー担当者は、毛髪の質およびすすぎの速さに関する情報をシステムに入力してもよい。システムは、この情報を考慮して設定を修正するかまたは新しい設定の試験を提案するように配置構成されてもよい。同じことが、コーミング時および別のシャンプー、コンディショナ、マスク、または他の製品の任意の注液時、ならびにヘアカット、ヘアセット、ブロードライ、ストレートニングなどの他の毛髪処理ステップ時にも当てはまる。
【００５０】
したがって、シャンプー担当者または顧客または美容師が毛髪が過度にゴワゴワしていること、もつれを取るのが困難であること、過度に垂れ下がることなどに気付いた場合、直後にまたは後で情報をシステムに入力することが可能である。システムは有利なことに、このような情報から実施すべき修正を推定するか、または設定を提案するように配置構成され、さらに、顧客に提案されるカタログ製品の、システムによる選択は、有利なことにこの情報フィードバックを考慮して行われる。
【００５１】
システムは、シャンプー以外の毛髪用製品に適していることが好ましい。したがって、他の製品の中でも、洗浄効果とともにまたは洗浄効果なしでケア効果をもたらすことを目的とする、界面活性剤ベースまたは非界面活性剤ベースの他の組成、たとえば、「ノープー」または「ロープー」と呼ばれる調合物、コンディショナおよびマスク、希釈された界面活性剤をベースとする調合物などの製品をディスペンシングデバイスによって分配することが可能である。
【００５２】
システムは、「ケア試験」と呼ばれるプログラムを提案するように配置構成されてもよい。
【００５３】
その場合、システムは、そのようなプログラムを実行する間、製品の比率を変化させ、たとえば、比率を高めて、ディスペンシングデバイスを介して分配することを目的として管内に送るように配置構成されてもよい。このようにして、シャンプー担当者は、毛髪に対する製品のケアが適正であることを確認した場合、プログラムの実行を停止し、ならびに／またはこの試験プログラムの間の最適な点を特定してもよい。その場合、システムは、たとえば積分を実行した後で、送られた製品の全量を保持し、次いで、上述のように、同じ量の製品が異なるプログラミングに従って分配されならびに／または異なる期間の間分配されるいくつかの実装形態を提案することができる。
【００５４】
システムは、自動的にまたはシャンプー担当者の要求に応じて、製品の別の製品に対する比率を変化させ、たとえば、比率を高くするかまたは低くして管内に送ることからなる別のプログラムを提案するようにさらに配置構成されてもよい。その場合、シャンプー担当者は、たとえば、製品を送る間に毛髪に触れることによってその比率が最適であるかどうかを検知することができる。このようにして、シャンプー担当者は、分配された溶液の、毛髪に対するケアが適正であることを確認した場合、試験プログラムを停止し、ならびに／または最適な点を特定してもよい。その場合、システムは、たとえば積分を実行した後で、送られた製品の全量を保持し、次いで、上述のように、同じ量の製品が異なるプログラミングに従って分配されならびに／または異なる期間の間分配されるいくつかの実装形態を提案することができる。
【００５５】
別のプログラムは、自動的にまたはシャンプー担当者の要求に応じて、２つまたは３つ以上の製品を所与の相対比率で管内に送り、水におけるこの混合物の送られた比率を増加させることからなる。その場合、シャンプー担当者は、たとえば、製品を送る間に毛髪に触れることによってその比率が最適であるかどうかを検知することができる。このようにして、シャンプー担当者は、毛髪に対する製品のケアが適正であるであることを確認した場合、試験プログラムを停止し、ならびに／または最適な点を特定してもよい。その場合、システムは、たとえば積分を実行した後で、送られた製品の混合物の全量を保持し、次いで、上述のように、同じ量の製品が異なるプログラミングに従って分配されならびに／または異なる期間の間分配されるいくつかの実装形態を提案することができる。
【００５６】
システムは、処理溶液を加えた後に情報を積分することが可能であることが好ましい。
【００５７】
詳細には、システムは、すすぎパラメータを後で再使用できるようにすすぎパラメータに関する入力された情報を自動的にまたは非自動的に有してもよい。詳細には、システムは、使用されたすすぎ水の量を判定し、このパラメータをメモリに記憶するように配置構成されてもよい。その場合、シャンプー担当者は、毛髪から製品を完全に除去したいかそれともある程度製品の痕跡を保持し、それによってケア、ツヤなどの効果を得るかに応じて最適なすすぎを見つけてもよい。
【００５８】
したがって、詳細には、すすぎの間、シャンプー担当者は、毛髪の質およびすすぎの速さに関する情報をシステムに入力してもよい。その場合、システムは、この情報を考慮して、たとえば、水流量の設定を修正するか、または新しい設定の試験、たとえば、異なる流量でのすすぎを実施することを提案してもよい。同じことが、コーミング時およびコンディショナ、マスク、または他の製品の注液時、ならびにヘアカット、ヘアセット、ブロードライ、ストレートニングなどの他の毛髪処理ステップ時にも当てはまる。
【００５９】
したがって、シャンプー担当者または顧客または美容師が毛髪が過度にゴワゴワしていること、もつれを取るのが困難であること、過度に垂れ下がることなどに気付いた場合、その直後にまたは後で情報をシステムに入力することが可能である。システムは、訂正することが求められるパラメータに対する製品の効果についてのシステムの知識によって、上記の情報から実施すべきまたは提案すべき修正を推定するように配置構成されてもよい。
【００６０】
１つまたは複数のシャンプーおよび１つまたは複数のケア製品の注液を組み合わせることが可能である。この場合、「洗髪試験」もしくは「ケア試験」プログラムまたは他の特定のプログラムが使用されてもよい。この手法によって、洗髪とケアを単一の注液にまとめることが可能である。
【００６１】
システムは有利なことに、一連の製品の試験を可能にするように配置構成される。したがって、「連続試験」プログラムは、たとえば、以下のシーケンスのうちの１つを試験するか、または美容室への連続的な来店の間に連続的に試験することを可能にする。
・シャンプー洗髪、すすぎ、ケア、すすぎ、
・シャンプー洗髪、ケア、すすぎ、
・プレシャンプー、すすぎ、シャンプー洗髪、すすぎ、ケア、すすぎ、
・プレシャンプー、シャンプー洗浄、すすぎ、ケア、すすぎ、
・プレシャンプー、すすぎ、シャンプー洗髪、ケア、すすぎ、
・プレシャンプー、シャンプー洗髪、ケア、すすぎ、
・プレシャンプー、すすぎ、シャンプー洗髪、すすぎ、
・プレシャンプー、シャンプー洗髪、すすぎ、
・プレシャンプー、すすぎ、ケア、すすぎ、
・プレシャンプー、ケア、すすぎ。
【００６２】
この手法は、シンクにおいて実施される処理の様々なパラメータを変化させることによって、最良の結果をもたらすシーケンスを見つけて記録することを可能にする。
【００６３】
システムによってカタログ製品が提案されるときには、この提案に、たとえば特定の処理シーケンス内のこの製品の使用に関する推奨が付随してもよい。
【００６４】
システムは、以後に使用される水流量とは異なる水流量によって毛髪に対する試験を実施するように配置構成されてもよく、このことは、ＷＯ２００７／０６２５３６において開示されたような流量の少ないディスペンシングデバイスを使用することによって容易になる。
【００６５】
その場合、システムは有利なことに、たとえばユーザインターフェース上でユーザによって調整される、等価の結果を得るために送るべき製品の量を、新しい流量の関数として算出するように配置構成される。たとえば、０．５〜１ｌ／ｍｉｎの水流量で製品試験が実施され、その後、別の水流量、たとえば１〜４ｌ／ｍｉｎで処理が実施される。
【００６６】
システムは、水に注入すべき製品の量を水流量の関数として算出する際に、水流量が多いほど、製品がシンク排水口から出る場合に失われる製品の比率が高くなりやすいことを考慮するように配置構成されてもよく、したがって、システムは、この量を流量の関数として補正するための非線形の法則を適用して、流量とともに増加する製品の損失を考慮するように配置構成されてもよく、システムは、送られる処理溶液中の製品の濃度を高め、ならびに／または溶液が分配される持続時間を修正することによって、失われる製品の量を流量の関数として補償するようにさらに配置構成されてもよい。
【００６７】
システムは、シンク排水口の開閉を処理の性質の関数として自動的に制御するように配置構成されてもよく、システムは、たとえば、すすぎの間、排水口を開くよう命令し、他方では、規定の製品、たとえばコンディショナを分配する間この排水口を閉じるよう命令する。
【００６８】
本発明によるシステムは、シャンプー担当者が製品の性質、注液される量を最適化し、また、すすぎ水の量を最適化するのを可能にする。これによって、試験および最適な設定を記録することが可能になる。したがって、ユーザは、ユーザの評価能力によって可能であるよりも顕著に性能を向上させることがある。
【００６９】
本発明は、ユーザが設定を再使用してそれを向上させ、かつ毛髪の変化に適合させるのを可能にしてもよい。このことは時間および製品の節約を可能にする。さらに、ユーザは、顧客が以後美容室に来店する際に設定を再現する必要がないので、その後非常に短時間で顧客を満足させる。
【００７０】
本発明はまた、最適なすすぎに関する情報が保持され再使用されるようにシステムが作成されるときに、水損失を減らすのを可能にする。
【００７１】
本発明は、ユーザが、所与の顧客または他の顧客に対する試験向けに最適化された、新しい混合物および新しい処理シーケンスを試験するのを可能にする。
【００７２】
本発明の例示的な一実施形態では、ユーザは、特にデジタル接続を介してこの情報を共有して他の美容室に通知する。
【００７３】
したがって、本発明の別の主題は、様々な美容室に存在する本発明によるシステムのセットであって、特に、所与の種類の頭髪に最適であると見なされる設定および／またはシーケンスに関する情報を互いに共有するように構成されたシステムのセットである。これらのシステムは特に、システムがリモートに問い合わせて情報を入力する共有データベースを介して通信してもよい。
【００７４】
システムは、所与の美容師が、顧客の識別情報、たとえば、顧客の氏名、電子メールアドレス、ペンネーム、顧客番号などによってデータベースを、毛髪の説明、たとえば、ボリューム、長さ、民族性など、または履歴の説明、たとえば、染色作業の回数、ブランドＹの染料の使用などについて探索し、比較によって、設定および／または処理シーケンスについての提案をシステムから受信し得るように配置構成されてもよい。
【００７５】
本発明は、美容室またはシャンプー担当者が、美容室またはシャンプー担当者が提供する混合物および連続試験によって認識可能なプロフェッショナルＩＤを構築するのを助けてもよい。
【００７６】
システムは、顧客によって使用される毛髪を洗浄するための製品に関する情報の項目をユーザインターフェースを介して入力するのを可能にし、これらの製品に関してデータベースに問い合わせて、この製品の作用にできる限り近い作用を再現するのを可能にする設定を生成することが可能なように配置構成されてもよい。これによって、製品に非常に満足している顧客は、顧客の要求に応じて、シンクの所で同等に毛髪を処理してもらうことが可能である。
【００７７】
本発明によるシステムは、以下に列挙された特徴のうちの少なくとも１つ、またはそれらの任意の組合せを有してもよい。
−  システムは、少なくとも１つの設定をメモリに記憶するための手段を備え、
−  設定は、ユーザの要求に応じてメモリに記憶され、
−  設定は、処理結果がシステムに入力されるときにメモリに自動的に記憶され、
−  ユーザインターフェースは、それぞれ、処理の結果を評価するための少なくとも２つの異なる基準に関する情報の少なくとも２つの項目をシステムに入力するのを可能にし
−  システムは、選択された設定および処理結果に関するユーザによって入力される情報の上記少なくとも１つの項目についての知識に少なくとも基づいて製品推奨情報および／または処理推奨情報を生成するための手段を備え、
−  システムは、予想される処理結果に関する情報を選択された設定の関数として含むデータベースにアクセスするように構成され、
−  システムは、ユーザによって観測されシステムに入力された処理結果と、データベースによって判定された予想される結果を比較し、設定および／または処理の修正に関する情報をこの比較の関数として生成するように配置構成され、
−  システムは、カタログ製品の調合物に関する情報を与えるデータベースにアクセスし、少なくとも１つの選択された設定および観測された処理結果に関するユーザによって入力される情報の上記少なくとも１つの項目についての少なくとも知識の関数として、１つまたは複数のカタログ製品を特定し、それによって、特定された製品が、得られた結果に近付く結果をもたらすように構成され、
−  データベースは、リストされた製品の、特に泡立ちの速さ、すすぎの速さ、洗浄力、もつれ取り能力から選択される１つまたは複数の特性に関する情報を与え、
−  システムは、カタログ製品の利用可能な在庫に関する情報を与えるデータベースにアクセスし、製品推奨情報を、在庫された利用可能な製品の関数として生成するように構成され、
−  システムは、処理溶液、特にすすぎ水および／または製品が投入され最大流量が４ｌ／ｍｉｎ未満である水を毛髪上に分配するデバイスを備え、
−  システムは、それぞれに異なる製品の少なくとも２つの供給源と、好ましくは、製品の供給源の一方、他方、または両方を選択するのを可能にする手段とを備え、
−  調整デバイスは、処理溶液中の各製品の含有量を調整し、特に２つの製品の比率を０／１００から１００／０まで、好ましくは２５％以下の刻みで調整するのを可能にし、
−  システムは、２つの製品に関する少なくとも１つの設定をメモリに記憶するのを可能にするように構成され、
−  システムは、複数のカタログ製品、特に製品の対の少なくとも１つの推奨情報を、この２つの製品の使用に関する少なくとも１つの観測された処理結果に少なくとも基づいて生成するように構成され、
−  システムは、ある処理溶液の調合物を、その処理溶液の同じ調合物を使用した過去の処理に関するメモリに記憶されたデータ、特に取外し可能なメモリ媒体上のメモリに記憶されたデータまたはリモートサーバから受信されたデータから自動的に再現するのを可能にする手段を備え、
−  システムは、アニオン性界面活性剤、両性界面活性剤、カチオン性ポリマー、およびシリコーンから得られる少なくとも１つを備え、
−  ユーザインターフェースは、泡立ちの速さ、泡の量、すすぎの速さ、もつれ取りの容易さに関する情報の少なくとも１つの項目を入力するのを可能にし、
−  調整デバイスは、上記少なくとも１つの製品供給源から得られた製品を水に注入し、ディスペンシングデバイスによって毛髪に送られる水におけるこの供給源から得られた製品の含有量および／またはディスペンシングデバイスによって毛髪に送られる製品の量を変化させるのを可能にし、この調整では、最小含有量値と最大含有量値の間のおよび／または最小量値と最大量値の間の少なくとも１つの中間値を仮定することができ、
−  システムは、ディスペンシングデバイスの給水口における水圧をシステムの給水口における水圧よりも高くするための増圧器を備え、
−  ディスペンシングデバイスは、ディスペンシングデバイスから出る２つの噴流を衝突させるように配置構成されたノズルを備え、
−  製品は、水における製品の含有量が０．３重量パーセントから２０重量パーセントの間になり、特に０．３重量パーセントから１０重量パーセントの間になるように水に注入され、
−  システムは、規定のプログラムに従って製品の含有量を、特に増加または減少するように自動的に変化させるように構成され、
−  システムは、それぞれに異なる製品の少なくとも２つの供給源を備え、調整デバイスが、ディスペンシングデバイスによって分配される水における各製品の比率を選択的に変化させるのを可能にし、
−  システムは、規定のプログラムに従って各製品の含有量を自動的に変化させるように配置構成され、
システムは、水に注入される製品の量をユーザによって選択される流量の関数として調整して所望の濃度を取得するように構成され、
−  システムは、ユーザによってシステムに入力される情報の少なくとも１つの項目の関数としての製品の濃度の前調整を自動的に実施するように配置構成され、
−  システムは、毛髪を乾燥させならびに／またはスタイリングした後に得られる結果に対するデータの入力を可能にし、このデータの関数としての、毛髪の次の処理時の設定の任意の修正を自動的に提案するように配置構成され、
−  システムは、シンクにおいて毛髪が処理されている場合、このシンクの排水口を制御し、特に処理またはすすぎ要件の関数として排水口を開閉するように構成され、
−  システムは、規定のプログラムに従って、ディスペンシングデバイスによって毛髪に送られる製品の含有量および／または製品の量を変化させて最小値と最大値との間の少なくとも２つの中間値を仮定するように配置構成され、
−  製品は、ディスペンシングデバイスの上流側で水に注入される。
【００７８】
プロセス
本発明の別の主題は、本発明によるシステムによって毛髪を処理するプロセスであって、ユーザインターフェース上で少なくとも１つの設定が選択され、この設定を用いて得られる結果に関する情報の少なくとも１つの項目がインターフェースに入力されるプロセスである。
【００７９】
本発明の例示的な一実施形態では、所与の設定に関して観測された結果が、データベースに問い合わせることによって予想される設定と比較され、この比較の結果の関数として、少なくとも１つの製品推奨情報および／または処理推奨情報が生成される。
【００８０】
製品推奨情報は、たとえば、データベースに含まれるカタログ製品の特性との比較によって生成される。推奨情報は、美容室における利用可能な在庫に関する情報を与えるデータベースに問い合わせた後に生成されることが好ましい。
【００８１】
設定をその後の処理を目的としてメモリに記憶することが可能であり、毛髪に関して観測された結果ならびに／または設定の修正および／もしくはその後の処理用の製品についての推奨情報も、好ましくは処理される人用のＩＤとともにメモリに記憶されることが好ましく、メモリへの記憶は、特にリモートサーバおよび／または取外し可能なメモリ媒体上で行われる。
【００８２】
毛髪を処理するために使用される少なくとも１つの製品の最適な濃度および／または量を判定するには、本発明によるシステムによって、上述のように、毛髪に送られる水における少なくとも１つの製品の含有量を変化させることが可能である。
【００８３】
得られる結果をより容易に比較するには、毛髪の一部を所与の設定によって処理し、次いで設定を修正して毛髪の別の部分を処理することが可能である。たとえば、毛髪を３つまたは４つの部分に分けて上記のように処理を進めることが可能である。
【００８４】
適正であると見なされる結果に対応する設定を、たとえば、顧客が次回来店したときに容易に再現できるように、システム内のメモリに記憶すると有利である。その場合、この設定は有利なことに、顧客ＩＤに関連付けられる。
【００８５】
システムは、毛髪に送られる水における製品の量を、特に増加させるように自動的に変化させ、ユーザによって結果が適正であると見なされるときに上記ユーザによって入力される情報の項目をメモリに記憶するように配置構成されてもよい。ユーザはたとえば、結果を適正であると見なしたときに設定の変更を停止してもよく、システムは、自動的に対応する設定をメモリに記憶してもよい。
【００８６】
処理シンクの排水口の開閉は、行われる作業、特に処理作業またはすすぎ作業の性質の関数として制御されることが好ましい。
【００８７】
予想される結果に最も近い結果をもたらすシーケンスを判定するために、毛髪の様々な部分に対して様々な処理シーケンスを試験することが可能である。
【００８８】
少なくとも２つのシーケンスは、すすぎ持続時間および／またはプレシャンプー作業、コンディショニング作業、もしくはすすぎ作業の有無が異なってもよい。
【００８９】
本発明によるプロセスは、別個に検討されるかまたは組み合わせて検討される以下の特徴のうちの少なくとも１つを有してもよい。
−  所与の設定に関して観測された結果が、データベースに問い合わせることによって予想される設定と比較され、この比較の結果の関数として、少なくとも１つの製品推奨情報および／または処理推奨情報が生成され、
−  製品推奨情報は、たとえば、データベースに含まれるカタログ製品の特性との比較によって生成され、
−  推奨情報は、美容室における利用可能な在庫に関する情報を与えるデータベースに問い合わせた後に生成されることが好ましく、
−  設定は、その後の処理を目的としてメモリに記憶され、毛髪に関して観測された結果ならびに／または設定の修正および／もしくはその後の処理用の製品についての推奨情報も、好ましくは処理される人用のＩＤとともにメモリに記憶されることが好ましく、メモリへの記憶は、特にリモートサーバおよび／または取外し可能なメモリ媒体上で行われ、
−  毛髪の一部が所与の設定によって処理され、次いで、毛髪の別の部分を処理するために設定が修正され、
−  適正であると見なされる結果に対応する設定がメモリに記憶され、
−  システムは、毛髪に送られる水における製品の量を、特に増加させるように自動的に変化させ、ユーザによって結果が適正であると見なされたときに上記ユーザによって入力される情報の項目をメモリに記憶し、
−  処理シンクの排水口の開閉は、行われる作業、特に処理作業またはすすぎ作業の性質の関数として制御され、
−  処理の様々なシーケンスが、毛髪のそれぞれに異なる部分に対して試験され、
−  少なくとも２つのシーケンスは、１回のすすぎ持続時間が異なり、
−  少なくとも２つのシーケンスは、プレシャンプー作業、コンディショニング作業、もしくはすすぎ作業の有無が異なる。
【００９０】
本発明のさらなる特徴および利点は、その非限定的な例示的実施形態についての以下の詳細な説明を読むことから、また添付の図面を検討することから、明らかとなろう。
【図面の簡単な説明】
【００９１】
【図１】本発明による処理システムの一例の部分概略図である。
【図２】本発明によるプロセスの一例の様々なステップを示す図である。
【図３】本発明によるプロセス変形態の様々なステップを示す図である。
【発明を実施するための形態】
【００９２】
システム
図１は、給水口Ｃに接続し、好ましくは図示のように給湯口Ｈにも接続すべき、本発明によるシステム１を表す。
【００９３】
システム１は、水および毛髪を処理するために使用される製品を収集する働きをする洗髪シンク１０の上方に頭部が位置する顧客の毛髪Ｂを処理するために美容室において使用されることを目的としたものである。シンクは、本来知られているように、廃水用の排水システムに接続される。システム１は、可撓性のホース１２に接続された小形シャワーなどのディスペンシングデバイス１１に水を送るのを可能にするある数のコネクタおよび管を備える。
【００９４】
本発明によれば、システム１は、毛髪を処理するための製品、たとえば、それぞれの槽２１および２２に含まれる、この例では２つの製品Ｐ１およびＰ２の１つまたは複数の供給源を備える。
【００９５】
収集デバイスは、製品Ｐ１およびＰ２の各々をディスペンシングデバイス１１を介して分配することを目的として用量ごとに収集することを可能にする。それぞれに異なる製品Ｐ１、Ｐ２は、この例では、調整デバイス３０の制御下で用量ごとに分配され、調整デバイス３０は、調整デバイス３０が図１に概略的に表されたユーザインターフェース４０と通信し、この例では２つであり、この例では参照符号ＢＤ１およびＢＤ２を有する１つまたは複数のデータベースとも通信するのを可能にするコンピュータ手段を備える電子ユニットを備える。
【００９６】
データベースＢＤ１は、市場に存在する「カタログ」製品と呼ばれる市販の製品の特性に関する情報を与え、好ましくは、参照される製品のうちで、顧客に販売すべき美容室に在庫されている利用可能な製品または製品を顧客に送るオンラインショップに在庫されている利用可能な製品を示す。データベースＢＤ２は、システム１によって使用される製品の特性に関する情報を与える。
【００９７】
本発明の変形実施形態では、システム１は、単一の製品を備えるに過ぎず、調整デバイス３０は、毛髪Ｂを処理する間この製品の量および／または濃度を変化させてもよい。
【００９８】
図示の例では、システム１は、調整デバイス３０によって制御され、ディスペンシングデバイス１１によって水を所望の温度で分配するために温水を冷水と混合する、ミキサ２４などの温度制御手段を備える。
【００９９】
システム１はまた、ディスペンシングデバイス１１に送られる水の流量に関する情報を調整デバイス３０に与え、積分によって、分配された水の量に関する情報を調整デバイス３０に与える流量計２５を備えてもよい。
【０１００】
システム１はまた、ディスペンシングデバイス１１に送られる各製品の量および／または流量に関する情報を調整デバイス３０に与える、図示されていない１つまたは複数の他のセンサーを必要に応じて備える。
【０１０１】
図示の例では、製品Ｐ１およびＰ２は、調整デバイス３０によって制御される、たとえば蠕動式の計量ポンプ２６、または電動ピストンを有する計量ポンプ２６によって収集される。逆止弁２７がポンプ２６の下流側に存在してもよく、これらの弁２７は、ポンプ２６の分配圧力を受けて開く。
【０１０２】
増圧器５０によってディスペンシングデバイス１１に加えられる圧力を高めることによって、水を少ない流量で毛髪に送ると有効であることが判明する場合がある。少ない流量で動作するディスペンシングデバイスの一例は、特許文献４において開示されている。その場合、ディスペンシングデバイスは、噴流を送って互いに収束させ砕けさせるノズルを備える。
【０１０３】
システム１によって使用される製品は、たとえば毛髪をシャンプーする間、より一般的には美容室におけるシンクの所での顧客に対する作業の間に使用される毛髪を処理するための製品である。製品は、コンディショニングトリートメント、マスク、シャンプー、プレシャンプー、またはコンディショナであってもよい。
【０１０４】
製品は特に、アニオン性界面活性剤、両性界面活性剤、カチオン性ポリマー、および／またはシリコーンを含んでもよい。製品は特に、硫酸塩含有または硫酸塩非含有非イオン性またはカチオン性界面活性剤、ポリマー、特に炭素ベースポリマーまたはシリコーンポリマー、増粘剤、オイルおよび／またはワックスなどの脂肪物質、水、ならびに任意の溶剤を含んでもよい。
【０１０５】
各製品Ｐ１、Ｐ２は、システム１に容易に接続される容器に含まれることが好ましい。たとえば、システム１は、空の容器を容易に交換するのを可能にするクイックコネクタを備える。
【０１０６】
製品は、容器をよりうまく保存できるように、空になると変形して、空気を吸い込まずに容器を空にするのを可能にする可撓性パウチに含まれてもよい。
【０１０７】
対応する容器内の各処理製品の初期量は、たとえば１０ｍｌから１リットルの間である。
【０１０８】
この例では、製品Ｐ１、Ｐ２は、水に注入され、次いでディスペンシングデバイス１１に送られる。調整デバイス３０は、ポンプ２６の動作の持続時間を調節するとともにポンプの流量を調節して、毛髪Ｂに送られる製品の量および製品が注入される流量を調節する。
【０１０９】
システム１は、ユーザインターフェース４０によって、毛髪に送られる各製品の量を変化させ、かつ必要に応じて、ディスペンシングデバイス１１によって分配される水におけるこれらの製品の濃度を変化させるのを可能にしてもよい。
【０１１０】
図示されていない変形実施形態では、製品は直接ディスペンシングデバイス１１の所に送られ、調整デバイス３０は、ディスペンシングデバイス１１によって毛髪上に分配される各製品の量を調節する。そのような例では、調整デバイス３０は次いで、基本的に毛髪に送られる各製品の量を調整し、製品の濃度は調整しない。変形態としては、製品供給源として、同じ組成をいくつかの濃度で使用することがさらに可能であり、その場合、これらの異なる濃度に対応する製品は、それぞれの容器に含まれ、さらに、選択された濃度に対応する製品を対応する容器から収集することによって毛髪に送ることが可能である。
【０１１１】
別の変形実施形態では、システム１は、選択された製品と水との前混合を実施し、製品を希釈することによって製品の濃度を修正するように配置構成され、この混合の結果は、特定の管を介してディスペンシングデバイス１１に送られる。このことは、各製品を過度に大量の水で希釈するのを回避することを可能にし、および／またはたとえば、オイルベースの製品などの製品の水での希釈を向上させる。
【０１１２】
さらなる変形態として、システム１は、所定の比率でのいくつかの製品の前混合を実施して混合物を生成し、この混合物を水に注入して処理溶液を生成するように配置構成される。
【０１１３】
システム１は、経時的に可変であり、ならびに／または毛髪上に分配される水の量の関数として可変である、２つの製品間の比率を有する化学式および／または少なくとも１つの製品の水における希釈係数をディスペンシングデバイス１１に送るようにさらに配置構成されてもよい。比率の変化は、たとえば試験プログラムを実行する際にシステムによって自動的に経時的に制御されてもよく、またはシャンプー担当者によって手動で制御されてもよい。
【０１１４】
システム１は、毛髪上にすでに分配された製品の量および／または対応する容器内に残る製品の量をユーザインターフェース４０を介してシャンプー担当者に指示するように配置構成されてもよい。
【０１１５】
システム１はまた、分配すべき残留製品の量および／または処理の間に分配すべき製品の量を好ましくはリアルタイムに指示するように配置構成されてもよい。
【０１１６】
システムは、分配された水の量および／または水流量を示し、必要に応じて水の温度も示すように配置構成されてもよい。
【０１１７】
情報のすべてのこれらの項目が、たとえば、ユーザインターフェース４０の画面４１上に表示される。
【０１１８】
調整デバイス３０が選択された製品の希釈係数に作用する必要があるとき、対応するポンプによって送られる製品の量は、流量計２５によって測定される流量の関数として調整されてもよい。
【０１１９】
水と製品の混合物または単一の製品が、ディスペンシングデバイス１１によって４ｌ／ｍｉｎ以下の流量で送られてもよい。
【０１２０】
ユーザインターフェース４０は、様々なやり方で具現化されてもよい。ユーザインターフェース４０は、シャンプー担当者が処理パラメータを修正し、特に毛髪Ｂ上に分配すべき１つまたは複数の製品を選択するとともに、毛髪に送られる水におけるこれらの製品の量および／または含有量を選択するのを可能にするようにシンク１０の近くに位置することが好ましい。調整は、たとえばキー４２によって行われ、選択パラメータおよび／または量もしくは濃度を増減させることが可能になる。
【０１２１】
必要に応じて、ユーザインターフェース４０は、水の温度を設定するためのボタンも有し、ミキサ２４はたとえば電動である。変形態として、システム１は、温度プローブとソレノイド弁とを備え、これによって、設定点温度を満たすように温水と冷水の流量を調整することが可能になる。
【０１２２】
ユーザインターフェース４０は、１つまたは複数のボタン４４を備え、これによって、画面４１上に表示されるメニュー内の動作および／またはパラメータを選択することが可能になる。変形態では、画面４１はタッチスクリーンである。
【０１２３】
ユーザインターフェース４０は、音声認識機能をさらに備えてもよく、ならびに／または調整デバイス３０と通信するタブレット型もしくはスマートフォン型の端末で構成されてもよい。
【０１２４】
ユーザインターフェース４０は、たとえば、美容室のコンピュータ、タブレット、または携帯電話からリモートに送信される情報を受信してもよい。
【０１２５】
一変形態では、ユーザインターフェース４０の少なくとも一部は、ディスペンシングデバイス１１上に存在する。
【０１２６】
ユーザインターフェース４０は、水しぶきから保護され、濡れた指によって調整および／または情報入力を実施するのを可能にすることが好ましい。
【０１２７】
ユーザインターフェース４０は、前述の例では、シャンプー担当者が実施される処理に関する情報の１つまたは複数の項目を入力するのを可能にするように構成される。たとえば、シャンプー担当者は、製品の使用にリンクされた様々なパラメータを値の所定のスケール上で等級分けしてもよく、たとえば、ユーザインターフェース４０は、シャンプー担当者が泡立ちの速さ、泡の量、すすぎの速さ、もつれ取りの容易さ、および／または洗浄の有効性に関する情報を入力するのを可能にするように構成される。この情報は、たとえば、スコア、たとえば、数字もしくは文字、またはエモーティコン型の記号である。
【０１２８】
ユーザインターフェース４０は、ユーザがあらかじめ記録された化学式および事前に特徴づけられた化学式を選択するのを可能にするように構成されてもよい。この場合、システム１は、選択された調合物に対応する調整を実行する。
【０１２９】
ユーザインターフェースは、たとえば、ユーザが洗髪製品もしくはケア製品または特定の処理シーケンスを試験することを目的として特定の試験プログラムを選択するのを可能にするように配置構成されてもよい。
【０１３０】
有利なことに、試験プログラムは、ユーザが、たとえば毛髪のそれぞれの部分に対してそれぞれに異なる調合物を試験するのを可能にするように、少なくとも１つの処理パラメータを自動的に変化させる。調合物を変更し、たとえば、製品の濃度または分配される量を修正してある試験段階から別の試験段階に移行することは、ユーザインターフェースにより音声メッセージおよび／または視覚的メッセージを発行することによって指示されてもよく、システムは、停止して、たとえば再開ボタンに対するユーザからの特定の動作を待ち、その後、修正された調合物を用いて試験プログラムを続行するように配置構成されてもよい。
【０１３１】
調整デバイス３０は、マイクロプロセッサを含むかまたはマイクロコントローラと電力インターフェースとを含む回路を備えてもよく、それによって、ソレノイド弁および／またはポンプおよび／または他のモータを制御して、選択された処理構成に対応する用量を生成するのが可能になる。
【０１３２】
図示のように、調整デバイス３０は、データベースＢＤ１およびＢＤ２と通信するように配置構成されることが好ましい。これらのデータベースは、たとえば美容室のコンピュータネットワーク上でアクセス可能であるか、またはセキュアインターネット接続もしくは非セキュアインターネット接続を介して、美容室が接続されたリモートサーバ上でアクセス可能である。
【０１３３】
変形態として、データベースＢＤ１およびＢＤ２は、調整デバイス３０の内部に位置し、調整デバイス３０のメモリに記録される。この場合、たとえば、調整デバイス３０が、美容室またはリモートサイトのサーバに問い合わせることによって、そのデータベースに含まれる情報の定期的な更新を実行することが可能である。
【０１３４】
調整デバイス３０は、たとえば、温度、圧力、および／または流量についての様々なセンサーから発信される信号を、たとえばアナログおよびデジタルインターフェースによって受信し、かつ必要に応じて、毛髪を処理するために使用される製品を含む容器の充填レベルに関する情報を与える信号を受信してもよい。
【０１３５】
調整デバイス３０のアセンブリは、洗髪シンク１０の近くに位置し、たとえば、水しぶきがかからないように密封されたケーシング内に位置してもよく、変形態として、調整デバイス３０は、シンク１０の近くの少なくとも１つの電子回路と、シンク１０の近くに存在する電子回路と有線接続または無線接続を介して通信する、離れた少なくとも１つの電子回路とを備える。
【０１３６】
システム１は、毛髪を洗浄する前に毛髪の少なくとも１つの特性を測定することを可能にする１つまたは複数のセンサー、たとえば、マイクロフォンまたは毛髪の状態を検知し、毛髪を処理する前に毛髪の状態を表す信号を送ることを可能にする任意の他のセンサーを備える、毛髪をとかす櫛を備えてもよい。この場合、調整デバイス３０は、この目的のための基準データを利用して行われた評価の関数として、設定および／または製品の選択肢を推奨するように配置構成されてもよい。センサーはさらに、システム１によって毛髪を処理した結果を評価するために使用されてもよい。
【０１３７】
一変形態では、システム１は、シャンプー担当者が記入するアンケートをユーザインターフェース４０の画面４１上に表示し、このアンケートの結果の関数として、設定または上記設定の修正を提案するように配置構成される。
【０１３８】
好ましくは、ユーザインターフェース４０および／または調整デバイス３０は、毛髪が処理される顧客に関するデータをダウンロードして、シャンプー担当者に過去の処理設定、観測された結果を思い出させ、また、実施すべき処理に関する推奨される設定を思い出させてもよい。
【０１３９】
システム１は、少なくとも１つの設定をメモリに記憶するための手段を備えることが好ましい。
【０１４０】
設定は、たとえば、ユーザインターフェース４０上の対応する目的のためのボタンを押すことによる、シャンプー担当者の要求に応じてメモリに記憶されてもよい。変形態として、設定は、処理結果が入力された直後に自動的にメモリに記憶されてもよい。設定は、調整デバイス３０に導入される取外し可能なメモリ媒体上のメモリおよび／またはシステム１が通信するリモートデータベースに記憶されてもよい。
【０１４１】
システム１は、たとえば、処理要件またはすすぎ要件の関数としてソレノイド弁５５に作用し、特にソレノイド弁を開閉することによって、シンク１０の排水口を制御するように構成されてもよい。たとえば、ディスペンシングデバイス１１が製品を分配する際、ユーザが上記の量の水、および水と同様に既知の量である分配される上記の量の製品によって毛髪を処理するのを可能にするように閉じられ、毛髪が処理された後、排水口が開かれて、たとえばすすぎに進む。
【０１４２】
プロセス
次に、顧客の個人使用のために顧客に推奨すべき在庫されている製品を判定するのを可能にする、第１の実施形態による毛髪を処理するためのプロセスの実施例について、図２を参照しながら説明する。
【０１４３】
最初に、ステップ１００において、シャンプー担当者は、システム１のユーザインターフェース４０によって製品の量および／または製品の濃度を調整し、シャンプー担当者が使用することを望む製品の選択肢を示してもよい。
【０１４４】
変形態として、シャンプー担当者は、ユーザインターフェース４０によって所望の処理特性を調整することによって調整を施し、システム１は、データベースＢＤ２に問い合わせて、これらの基準に近くなると思われる化学式を判定する。
【０１４５】
調整情報は、評価アンケートおよび／または毛髪が処理される顧客の毛髪に対して実施される測定に従って、上述のように入力されてもよい。
【０１４６】
設定を選択するステップを自動化し、毛髪が処理される顧客に固有のデータをダウンロードした結果として行われるようにすることが可能であり、このデータは、たとえば、この顧客によって与えられるＵＳＢスティックなどのメモリ媒体上に位置する。データはさらに、顧客の携帯電話上に記録されたファイルに存在してもよく、または美容室の内部もしくは外部のデータベースからダウンロードされてもよい。
【０１４７】
顧客が受けた以前の処理に関するデータをダウンロードすることによって、シャンプー担当者またはシステム１は、以前の処理の間に観測された処理結果が完全に満足いくものではないときに設定を提案することが可能になることがある。
【０１４８】
一方、たとえば、使用される製品、毛髪に送られる量、また、必要に応じてそれぞれに異なる製品の使用記録に関して、以前の処理から正しい設定が見つかった場合、システム１は単に、システム１が使用を提案する設定パラメータが、以前の処理の間に適正であると見なされた設定パラメータであることを単にシャンプー担当者にシグナリングすることがあり、それによって、シャンプー担当者は、システムによる提案を確認するだけでよい。ユーザは、正しい設定および／または正しい処理シーケンスを見つけるために、上述のように既存の試験プログラムによってシステム１を用いて連続試験を実施してもよい。
【０１４９】
次に、ステップ１０１において、システム１は、選択された製品を、処理を実施するために選択された濃度および／または量で毛髪に送る。
【０１５０】
濃度および／または量は、様々なやり方で調整されてもよく、たとえば、シャンプー担当者は単に、製品の能力の所望のレベルを示してもよい。
【０１５１】
たとえば、シャンプー担当者は、ユーザインターフェース４０において、「より低い濃度」、「通常濃度」、「より高い濃度」などのいくつかの程度のうちのいずれかを選択してもよく、システム１は対応する用量を生成する。
【０１５２】
ステップ１０２において、シャンプー担当者は、１つまたは複数の基準に関して処理結果を観測し、これらの観測に基づいて、ユーザインターフェース４０によってシステム１に情報を入力してもよい。
【０１５３】
シャンプー担当者はたとえば、泡立ちの速さ、泡の量、すすぎの速さ、もつれ取りの容易さ、および洗浄の有効性の各基準を「適正」、「過度に高い」、または「不十分」として等級付けてもよい。
【０１５４】
システム１は次いで、ステップ１０３において、観測された結果と、システムによって使用された製品に関してデータベースＢＤ２に問い合わせることによって、注液された製品に関して予想される結果を比較してもよく、このデータベースＢＤ２は、評価の主題である基準と同じ基準に関する情報を与える。
【０１５５】
したがって、システム１は、これらの評価された基準のうちの少なくとも１つが使用された製品に関して不適正な基準と分類されるときに、この製品の予想される結果に近付く新しい提案を生成することができる。
【０１５６】
システム１は、基準を顧客に関して想定される重要性に従って重み付けし、顧客に関して優先すべきであると見なされる結果を優先する製品を提案してもよい。
【０１５７】
毛髪を最も適切に処理するのを可能にする製品が特定された後、システムは、ステップ１０４において、データベースＢＤ１に問い合わせて、試験された処理条件または予想される結果に近付くのを可能にする処理条件に最も近いカタログ製品を判定してもよい。
【０１５８】
変形態として、システム１は、基準の少なくとも１つが、使用された製品について不適正であると分類されるときに、データベースＢＤ１に問い合わせて、適切な特性を有するカタログ製品を、製品に関して予想される結果と向上させるべき基準の両方の関数として判定してもよい。
【０１５９】
システム１は、データベースＢＤ１または美容室の内部の追加のデータベースに問い合わせることによって、美容室に在庫されている利用可能な製品を判定し、この問合せに基づいて、ステップ１０５において製品の推奨を行ってもよい。
【０１６０】
システム１は、データベースＢＤ１に存在する製品のうちで所望の基準に関して完全に満足できる製品がないときに、これらの基準にできるだけ近くなる製品について助言し、製品の作用を向上させこれらの基準に近付くための使用上の助言を与えるように配置構成されてもよい。たとえば、システム１は、より短時間のすすぎを実施することによる、所望のもつれ取り能力よりもわずかに劣るもつれ取り能力を有する製品に関する使用上の助言を与えるように配置構成されてもよい。変形態として、システム１は、所望のもつれ取り能力よりもわずかに劣るもつれ取り能力を有する製品と、用量の少ないもつれ取りコンディショナとを使用することを助言する。
【０１６１】
システム１は、顧客の毛髪を適切に処理するために顧客に推奨すべき製品の対を判定するように配置構成されてもよい。
【０１６２】
システム１は、この例では、ステップ１０６において、顧客が処理されたときに生成されるある量のデータを記録するように構成されるか、またはこのデータをメモリに記憶することを提案するように構成される。
【０１６３】
このデータは、後で、たとえば顧客の毛髪が再び処理されるときに回復できるように顧客ＩＤと組み合わされてもよい。
【０１６４】
システム１は、プレシャンプーおよびシャンプーまたはシャンプーおよびコンディショナなどの連続した２つの適切な製品を判定するのを可能にし、所望の結果を得るのを可能にするように構成されてもよい。
【０１６５】
本発明の変形実施形態によれば、シャンプー担当者は、様々な製品または様々な濃度の製品を毛髪のそれぞれの房に注液し、毛髪に対するこれらの製品または設定の作用をより容易に比較する。
【０１６６】
たとえば、シャンプー担当者は、毛髪に最も適切な製品を選択することを目的として、毛髪を各房に分離し、房当たりに１つの製品を使用して毛髪に対する様々な製品の作用を比較する。次いで、保持された製品の特性をデータベースＢＤ１から得たカタログ製品の特性と比較して、顧客に推奨すべき在庫されている製品を判定してもよい。この場合、データベースＢＤ１において情報が与えられる製品の特性はたとえば、情報の項目の中でも特に、化学式の様々な成分の含有量、たとえば、アニオン性界面活性剤、両性界面活性剤、カチオン性ポリマー、およびシリコーンのレベルである。
【０１６７】
（実施例１Ａ）
この例では、システム１は、店舗において入手可能な市販の製品のデータベースＢＤ１を有する。
【０１６８】
このデータベースＢＤ１は、データベース内にリストされた製品ごとに、以下の使用特性に関する情報を示す。
１）泡立ちの速さ
２）すすぎの速さ
３）洗浄力
４）処理能力、この例ではもつれ取り能力。
【０１６９】
システム１はまた、システム１に組み込まれた、製品の同じ使用特性に関する情報を示すデータベースＢＤ２を有する。
【０１７０】
この例では、データベースＢＤ１は以下の製品Ａ〜Ｄをリストする。
Ａ．  製品Ａは、水で１５重量パーセントに希釈されたＬＥＳの組成を有する単純なシャンプーである。（７０％活物質を含有する２酸化エチレン基を含むラウリル硫酸ナトリウムが、ＢＡＳＦによって商品名Ｔｅｘａｐｏｎ  Ｎ７０で供給されている）。
Ｂ．  製品Ｂは、水で１０重量パーセントに希釈されたＬＥＳ、５重量パーセントの両性界面活性剤、０．５重量パーセントの、商品名ＵＣＡＲＥ（商標）のＪＲ４００（登録商標）ポリマーの組成を有するトリートメントシャンプーである。
Ｃ．  製品Ｃは、高濃度のアニオン性界面活性剤、両性界面活性剤、および非イオン界面活性剤である「サルフェートフリー」シャンプーと呼ばれるシャンプーである（L'Oreal Paris から市販されている商品名 Everpure, Pure Color（登録商標）レンジのシャンプー）。
Ｄ．  製品Ｄは、高濃度の非イオン界面活性剤をベースとするシャンプーである。
【０１７１】
データベースＢＤ１に示される製品Ａ〜Ｄの特性を以下の表に示す。
【０１７２】
【表１】
0006833047.tif 000002
【０１７３】
値１は、不十分な性能を示し、値５は非常に良好な性能を示す。
【０１７４】
シャンプー担当者は、その顧客に対して製品Ｘによって試験を実施し、製品Ｘをシステム１の水に投入し、ディスペンシングデバイス１１によって毛髪上に分配する。シャンプー担当者は、観測したことを記録し、性能が適正であるか、過度に高いか、それとも不十分であるかを特定し、顧客に対する推定される重要性に関して分類する（番号１は、最も重要性が低い基準に対応し、番号４は最も重要な基準に対応する）。シャンプー担当者は以下の結果を記録する。
【０１７５】
【表２】
0006833047.tif 000003
【０１７６】
システム１は、シャンプー担当者によって記録された性能を、データベースＢＤ２において製品Ｘに関して従来予想されている特性に対して比較する。
【０１７７】
【表３】
0006833047.tif 000004
【０１７８】
次いで、システム１は、処理（もつれ取り）能力に関する主要な基準、すなわち基準４と見なされるものにおける不足を確認して、データベースＢＤ１において、この基準を満たすのに最も適した製品を探索する。
【０１７９】
システム１は、処理能力が試験された化学式よりも優れており、したがって、潜在的な候補である２つの製品ＢおよびＣを特定する。
【０１８０】
システム１は、化学式Ｂが最も処理能力が高いので選択されるべきであるかどうかを判定する。
【０１８１】
システムは、化学式Ｂに移ると、泡立ちおよびすすぎの速さが低下することを認識しているので、試験Ｂを提案する。
【０１８２】
シャンプー担当者は次いで、この性能を登録する。シャンプー担当者は、処理基準は適切であるが、泡立ち（泡立ちの速さ）は試験された毛髪には不十分であることを記録する。
【０１８３】
システム１は次いで、化学式Ｃを提案し、化学式Ｃは、処理性能が良好なままであり、泡立ち能力が高い。シャンプー担当者は、この性能を登録し、化学式Ｃが好ましいという結論に達し、この情報をシステム１に入力する。
【０１８４】
システム１は次いで、２つの助言を推定し、シャンプー担当者に提案する。
ａ）すすぎを減らすことによって処理能力を高め、ならびに／または
ｂ）カチオン性界面活性剤を少量加えたコンディショナを使用して不十分な処理能力を補償することによって処理能力を向上させる。
【０１８５】
プロセス変形態
次に、毛髪を処理するためのプロセスの変形態について図３を参照しながら説明する。この変形態は、製品および／または処理シーケンスをより容易に顧客の毛髪に適合するのを可能にする。
【０１８６】
まず、ステップ２００において、シャンプー担当者は、ユーザインターフェース４０によって所定の試験プログラムを選択する。
【０１８７】
このプログラムは、
−  比率を高めながら製品をディスペンシングデバイス１１に送り、
−  自動的にまたはシャンプー担当者の要求に応じて、ある製品の別の製品に対する比率を変化させ、特に、比率を高くするかまたは低くして、ディスペンシングデバイス１１に送り、または
−  自動的にまたはシャンプー担当者の要求に応じて、複数の製品を所与の相対比率で、水の量に対して量を増やしながらディスペンシングデバイス１１に送ることを可能にしてもよい。
【０１８８】
システム１は、シャンプー担当者が、ユーザインターフェース４０上のキーを押すことによって、製品の濃度を互いに対して変化させならびに／または水に対して変化させる命令を手動で与え得るように構成されてもよい。
【０１８９】
ステップ２０１において、シャンプー担当者は、所望の結果が得られ、たとえば、製品の泡立ち、ケア、または洗浄が適正であることを観察したときにシステム１を停止し、最適な点を特定する。システム１は次いで、各製品と加えられた水の総量を算出して、最適であると見なされる結果を得てもよい。
【０１９０】
ステップ２０２において、システム１は、製品と水の比率があらかじめ決定されたいくつかの処理実装形態を提案し、および／または最適な点の判定を改善してもよい。
【０１９１】
たとえば、システム１は、水および製品の流量を増やして処理時間を短縮する処理実装形態を提案し、場合によっては製品の量を増やして、水の流量が多くなることに起因してシンク１０に排出される製品の比率が高くなることを考慮する処理実装形態を提案するように配置構成される。製品の量を増やすには、製品注液時間を延ばし、ならびに／または製品の比率を高めることが可能である。
【０１９２】
ステップ２０３において、シャンプー担当者は、毛髪をすすぎ、毛髪上に製品の痕跡を維持することを望むかそれとも痕跡を除去することを望むかの関数として、最適なすすぎを判定する。システム１は、最適なすすぎパラメータを記録し、このパラメータを製品に関連付けるように構成されてもよい。
【０１９３】
変形態として、システム１は、あらかじめ決定された最適点に関して、対応する最適なすすぎパラメータに関する情報をシャンプー担当者に与える。
【０１９４】
システム１はまた、連続したそれぞれに異なる製品を試験して最も適正な一連の製品を判定することを可能にしてもよい。たとえば、システム１は、以下のシーケンスのうちの１つをディスペンシングデバイス１１に送るように構成されてもよい。
・シャンプー、すすぎ溶液、特に水、ケア製品、すすぎ溶液、
・シャンプー、ケア製品、すすぎ溶液、
・プレシャンプー、すすぎ溶液、シャンプー、すすぎ溶液、ケア製品、すすぎ溶液、
・プレシャンプー、シャンプー、すすぎ溶液、ケア製品、すすぎ溶液、
・プレシャンプー、すすぎ溶液、シャンプー、ケア製品、すすぎ溶液、
・プレシャンプー、シャンプー、ケア製品、すすぎ溶液、
・プレシャンプー、すすぎ溶液、シャンプー、すすぎ溶液、
・プレシャンプー、シャンプー、すすぎ溶液、
・プレシャンプー、すすぎ溶液、ケア製品、すすぎ溶液、または
・プレシャンプー、ケア製品、すすぎ溶液。
【０１９５】
パラメータの最適化の間に記録された設定は、以後に上記顧客が来店したときに再使用できるように顧客データベースに記録されてもよい。これによって、以後の来店時に時間を稼ぐことが可能になる。
【０１９６】
（実施例１Ｂ）
この実施例では、システム１の槽の１つが以下の製品Ｐ１で充填される。
−  製品Ｐ１：  アニオン性界面活性剤と両性界面活性剤とを含む、Garnierブランドにおける「Ultradoux Camomille et miel de fleur（登録商標）」シャンプー。
【０１９７】
洗髪時に、シャンプー担当者は、２．５％の製品Ｐ１を流量が１ｌ／ｍｉｎの水に投入するようにシステムを調整する。シャンプー担当者は次いで、良好な泡立ち度を達成した時間を記録する。
【０１９８】
ショートヘアの第１のモデルでは、良好な泡立ち度を達成するのに４．５秒必要であり、約１．８７ｇの製品Ｐ１が送られる。約３５ｃｍの長い毛髪の第２のモデルでは、８秒必要であり、約３．３３ｇの製品Ｐ１が送られる。このデータは名目上記録される。シャンプー担当者は次にすすぎを行う。シャンプー担当者は、すすぎが十分に行われた時間を記録する。第１のモデルでは２０秒であり、すなわち、約０．３４ｌの水が使用され、第２のモデルでは３５秒であり、すなわち、約０．５８ｌの水が使用される。
【０１９９】
以下のモデルが記録される。
・モデル１：  １．８７ｇの製品Ｐ１を水に投入する。すすぎ：  ０．３４ｌ流量＝１ｌ／ｍｉｎ
・モデル２：  ３．３３ｇの製品Ｐ１を水に投入する。すすぎ：  ０．５８ｌ流量＝１ｌ／ｍｉｎ
【０２００】
その後、システム１は、シャンプー担当者がパラメータを以下のように使用して処理時間を短縮することを提案する。
・モデル１：  １．８７ｇの製品Ｐ１を流量１．３ｌ／ｍｉｎの水に投入する。すなわち、３．４５秒間。すすぎ：  流量１．３ｌ／ｍｉｎで０．３４ｌの水によってすすぐ。すなわち、１６秒間。
・モデル２：  ３．３３ｇの製品Ｐ１を流量１．３ｌ／ｍｉｎの水に投入する。すなわち、６．２秒間。すすぎ：  流量１．３ｌ／ｍｉｎで０．３４ｌの水によってすすぐ。すなわち、２７秒間。
【０２０１】
シャンプー担当者がその後流量を増やすことを望む場合、システム１は、流量が増えることに起因して、製品Ｐ１の一部がシンク１０に直接流入し、直接排出されるために生じ得る損失を考慮してパラメータを再計算する。
・モデル１：  ２．２４ｇの製品Ｐ１を流量１．８ｌ／ｍｉｎの水に投入する。すなわち、３秒間。すすぎ：  流量１．８ｌ／ｍｉｎで０．４２ｌの水によってすすぐ。すなわち、１４秒間。
・モデル２：  ４ｇの製品Ｐ１を流量１．８ｌ／ｍｉｎの水に投入する。すなわち、５．４秒間。すすぎ：  流量１．８ｌ／ｍｉｎで０．６５ｌの水によってすすぐ。すなわち、２２秒間。
【０２０２】
（実施例２Ｂ）
この例では、槽２１および２２には以下の製品Ｐ１およびＰ２が充填される。
−  製品Ｐ１：  アニオン性界面活性剤と両性界面活性剤とを含む、Ｇａｒｎｉｅｒブランドにおける「Ultradoux Camomille et miel de fleur（登録商標）」シャンプー。
−  製品Ｐ２：  KerastaseブランドのNutritiveレンジにおける"Bain Satin 3"シャンプー
【０２０３】
洗髪時に、シャンプー担当者は、４％の製品Ｐ１および０％の製品Ｐ２を流量が１ｌ／ｍｉｎの水に投入するようにシステム１を調整する。シャンプー担当者は、毛髪の４分の１を処理する。
【０２０４】
シャンプー担当者は次いで、２％の製品Ｐ１および２％の製品Ｐ２によって新たに調整を施す。シャンプー担当者は、毛髪の第２の４分の１を処理する。
【０２０５】
シャンプー担当者は次いで、０％の製品Ｐ１および４％の製品Ｐ２によって新たに調整を施す。シャンプー担当者は、毛髪の第３の４分の１を処理する。
【０２０６】
シャンプー担当者は次いで、毛髪に触れ、流量１ｌ／ｍｉｎですすぐ。シャンプー担当者は、１ｌ／ｍｉｎの水によって５０秒間すすぎを実施する。シャンプー担当者は、すすぎ中およびすすぎ後の最良の接触感覚を記録する。シャンプー担当者は、最良の設定は、０％の製品Ｐ１と４％の製品Ｐ２に対応する設定であると判定し、この設定をシステム１内のメモリに記憶し、その後使用する。
【０２０７】
（実施例３Ｂ）
引き続き実施例２Ｂにおいて、シャンプー担当者は、シャンプー担当者が選択した設定、すなわち、０％の製品Ｐ１および４％の製品Ｐ２を使用する。シャンプー担当者は、実施例２Ｂにおける試験を以下の設定で再現する。
・毛髪の第１の４分の１：  １％の製品Ｐ１、３％の製品Ｐ２、
・毛髪の第２の４分の１：  １．５％の製品Ｐ１、２．５％の製品Ｐ２、
・毛髪の第３の４分の１：  ０．５％の製品Ｐ１、３．５％の製品Ｐ２、および
・毛髪の第４の４分の１：  ０％の製品Ｐ１、４％の製品Ｐ２。
【０２０８】
シャンプー担当者は、流量１ｌ／ｍｉｎの水で５０秒間すすぎを実施する。
【０２０９】
シャンプー担当者は、頭髪のそれぞれに異なる４分の１で観測された結果の関数として、最良の設定を選択し、最良の設定は、この例では３番目に処理された４分の１に相当し、シャンプー担当者は以後この設定を使用する。
【０２１０】
（実施例４Ｂ）
引き続き実施例３Ｂにおいて、シャンプー担当者は、シャンプー担当者が以前に選択した設定、すなわち、０．５％の製品Ｐ１および３．５％の製品Ｐ２を使用する。シャンプー担当者は、実施例２Ｂにおける試験を以下の設定で再現する。
・第１の４分の１：  ０．５％の製品Ｐ１、３．５％の製品Ｐ２、１ｌ／ｍｉｎでの３０秒間のすすぎ、
・第２の４分の１：  ０．５％の製品Ｐ１、３．５％の製品Ｐ２、１ｌ／ｍｉｎでの２０秒間のすすぎ、
・第３の４分の１：  ０．５％の製品Ｐ１、３．５％の製品Ｐ２、１ｌ／ｍｉｎでの１０秒間のすすぎ、および
・第４の４分の１：  ０．５％の製品Ｐ１、３．５％の製品Ｐ２、１ｌ／ｍｉｎでの５０秒間のすすぎ。
【０２１１】
すすぎの後、シャンプー担当者は毛髪に触れ、次いで毛髪を乾燥させる。シャンプー担当者は、最良のすすぎ作業を選択し、システム１内のメモリに記憶し、その後再現する。
【０２１２】
（実施例５Ｂ）
シャンプー担当者は、実施例２Ｂを再現し、以下の製品Ｐ１およびＰ２をシステム１の槽に投入する。
・製品Ｐ１：  両性界面活性剤とＬＥＳとを含有する高濃度洗浄活性剤である製品。１２％および７％の活物質の合計。両性界面活性剤は、水における３８％のココアンホジ酢酸二ナトリウム水溶液であり、Ｒｈｏｄｉａによって商品名Ｍｉｒａｎｏｌ  Ｃ２Ｍで供給されている。ＬＥＳ（７０％活物質を含有する２酸化エチレン基を含むラウリル硫酸ナトリウム、ＢＡＳＦによって商品名Ｔｅｘａｐｏｎ  Ｎ７０で供給されている）。
・製品Ｐ２：  商品名ＵＣＡＲＥ（商標）のポリマーＪＲ４００（登録商標）を含む水における濃度５重量パーセントである製品。
【０２１３】
シャンプー担当者が使用する設定は以下の通りである。
・第１の４分の１：  ３％の製品Ｐ１、０％の製品Ｐ２、
・第２の４分の１：  ３％の製品Ｐ１、０．５％の製品Ｐ２、
・第３の４分の１：  ３％の製品Ｐ１、１．５％の製品Ｐ２、および
・第４の４分の１：  ３％の製品Ｐ１、３％の製品Ｐ２。
【０２１４】
すすぎの後、シャンプー担当者は毛髪に触れ、次いで毛髪を乾燥させる。シャンプー担当者は、最良の結果を選択し、製品Ｐ１およびＰ２の対応する比率をシステム１内のメモリに記憶し、その後調合物を再現してもよい。
【０２１５】
（実施例６Ｂ）
シャンプー担当者は、実施例５Ｂを再現し、以下の製品Ｐ１およびＰ２を槽に投入する。
・製品Ｐ１：  両性界面活性剤１２／７とＬＥＳとを含有する高濃度洗浄活性剤である製品。
・製品Ｐ２：  アミノシリコーンを含む水における濃度５％である製品。
【０２１６】
シャンプー担当者が使用する設定は以下の通りである。
・第１の４分の１：  ３％の製品Ｐ１、０％の製品Ｐ２、
・第２の４分の１：  ３％の製品Ｐ１、０．５％の製品Ｐ２、
・第３の４分の１：  ３％の製品Ｐ１、１．５％の製品Ｐ２、および
・第４の４分の１：  ３％の製品Ｐ１、３％の製品Ｐ２。
【０２１７】
すすぎの後、シャンプー担当者は毛髪に触れ、次いで毛髪を乾燥させる。シャンプー担当者は、最良の結果を選択し、製品Ｐ１およびＰ２の対応する比率をシステム１内のメモリに記憶し、その後調合物を再現してもよい。
【０２１８】
（実施例７Ｂ）
シャンプー担当者は、実施例５Ｂを再現し、以下の製品Ｐ１およびＰ２を槽に投入する。
・製品Ｐ１：  両性界面活性剤１２／７とＬＥＳとを含有する高濃度洗浄活性剤である製品。
・製品Ｐ２：  カチオン性界面活性剤と脂肪族アルコールの濃縮混合物を含むコンディショナ。
【０２１９】
シャンプー担当者が使用する設定は以下の通りである。
・第１の４分の１：  ３％の製品Ｐ１、０％の製品Ｐ２、
・第２の４分の１：  ３％の製品Ｐ１、０．５％の製品Ｐ２、
・第３の４分の１：  ３％の製品Ｐ１、１．５％の製品Ｐ２、および
・第４の４分の１：  ３％の製品Ｐ１、３％の製品Ｐ２。
【０２２０】
すすぎの後、シャンプー担当者は毛髪に触れ、次いで毛髪を乾燥させる。シャンプー担当者は、最良の結果を選択し、製品Ｐ１およびＰ２の対応する比率をシステム１内のメモリに記憶し、その後調合物を再現してもよい。
【０２２１】
（実施例８Ｂ）
シャンプー担当者は、以下のような製品Ｐ１を槽に充填する。
・製品Ｐ１：アニオン性界面活性剤と両性界面活性剤とを含む、Garnierブランドにおける「Ultradoux Camomille et miel de fleur（登録商標）」シャンプー。
【０２２２】
洗髪時に、シャンプー担当者は、２．５％の製品を流量が１ｌ／ｍｉｎの水に投入するようにシステム１を調整する。シャンプー担当者は、毛髪にハイライトを施した４人のモデル１〜４にディスペンシングデバイスによって溶液を８秒間塗布し、すなわち約３．３ｇの製品を塗布する。毛髪のハイライトは特にダメージを受けている。
・シャンプー担当者は、各モデルの毛髪の第１の４分の１において、すすぎを１０秒間実施し、次いでコンディショナを塗布する。
・シャンプー担当者は、各モデルの毛髪の第２の４分の１において、すすぎを２０秒間実施し、次いでコンディショナを塗布する。
・シャンプー担当者は、各モデルの毛髪の第３の４分の１において、すすぎを３０秒間実施し、次いでコンディショナを塗布する。
・シャンプー担当者は、各モデルの毛髪の第４の４分の１において、すすぎを実施せず、次いでコンディショナを塗布する。
【０２２３】
シャンプー担当者は各モデルのすべての頭髪を４０秒間すすぐ。乾燥後、シャンプー担当者は、各モデルの最良の状況を特定する。この例では、モデル１および３の場合、最良の設定は、３０秒のすすぎを含む設定である。モデル２の場合、最良の設定は、１０秒、２０秒、および３０秒のすすぎを含む設定であり、これらの設定は同等の結果をもたらす。モデル４の場合、最良の設定は、１０秒のすすぎを含む設定である。この理由は、この場合、毛髪のボリュームが増すからである。２０秒および３０秒のすすぎを含む設定は、適正であるが、ボリュームを増すことはない。
【０２２４】
その後、シャンプー担当者は、このデータをシステム１内のメモリに記憶し、モデル１および３についての最良の設定を取得するために使用することができる。
【０２２５】
シャンプー担当者はまた、このモデルがリラクシングリンスの効果を望むかどうかに応じて、モデル２に短時間または長時間のすすぎを施すことができる。
【０２２６】
シャンプー担当者はまた、このモデルがボリュームを増すことの効果を望むかどうかに応じて、モデル４に短時間または長時間のすすぎを施すことができる。
【０２２７】
言うまでもなく、本発明は、説明した実施例に限定されない。たとえば、高圧を供給される収束し衝突する噴流を有するディスペンシングデバイスを使用することは有利であるが、本発明はそのようなデバイスに限定されない。
【０２２８】
図示した実施例では、製品は増圧器５０の上流側で注入されるが、一変形態では、注入が下流側で行われる。
【０２２９】
いくつかの製品を使用する場合、単一のマルチコンパートメント容器を使用することが可能である。
【０２３０】
この容器は、製品のＩＤに関する情報ならびに／または内部に含まれる製品の組成および／もしくは性質に関する情報をシステム１に自動的に与える識別子を備えてもよい。データベースＢＤ２は、これらの識別子を読み取ったときに必要に応じて自動的に更新されてもよい。
【０２３１】
製品の容器をシステム１の残りの部分に接続する管上に手動制御蛇口または自動制御蛇口を設けることが可能である。
【符号の説明】
【０２３２】
１  システム
１０  洗髪シンク
１１  ディスペンシングデバイス
１２  可撓性ホース
２１、２２  槽
２４  ミキサ
２５  流量計
２６  計量ポンプ
２７  逆止弁
３０  調整デバイス
４０  ユーザインターフェース
４１  画面
４２  キー
５５  ソレノイド弁
ＢＤ１、ＢＤ２  データベース
Ｐ１、Ｐ２  製品
【図１】
0006833047.tif 000005
【図２】
0006833047.tif 000006
【図３】
0006833047.tif 000007